(57)【要約】【課題】皮膚に良好な刺激を与えることができるテラヘルツ波による波動効果と、へら本体に形成した凸部による機械的刺激との相乗作用によりこれまで以上に新陳代謝を高めることができる生体マッサージ用のへらを提供する。【解決手段】外周縁部に複数の凸部を形成した生体マッサージ用のへらであって、当該へら本体１は金属シリコンを主体にして構成され、前記複数の凸部２〜５は所定の間隔で離間して突成され、各々手の指で保持するのに適した曲線形状を有する。隣り合う凸部同士の間には緩やかな括れ部６〜９を形成してあり、前記凸部２〜５および前記括れ部６〜９を選択して手の指でへら本体１を保持し、凸部先端を皮膚に当て移動させながらマッサージを行うことで、前記凸部による機械的刺激と共に、金属シリコン由来のテラヘルツ波による波動刺激を皮膚に重畳的に与えるようにした。【選択図】図１
0003179192.tif 000002
【実用新案登録請求の範囲】
【請求項１】
外周縁部に複数の凸部を形成した生体マッサージ用のへらであって、当該へら本体は金属シリコンを主体にして構成され、前記複数の凸部は所定の間隔で離間して突成され、各々手の指で保持するのに適した曲線形状を有すると共に、隣り合う凸部同士の間には緩やかな括れ部を形成してあり、前記複数の凸部および前記複数の括れ部を選択して手の指でへら本体を保持し、凸部先端を皮膚に当て移動させながらマッサージを行うことで、前記複数の凸部による機械的刺激とともに、金属シリコン由来のテラヘルツ波による波動刺激を皮膚に重畳的に与えるようになしたことを特徴とする生体マッサージ用へら。
【請求項２】
４つの凸部と、４つの括れ部を有し、且つ４つの凸部の曲線形状および４つの括れ部の曲線形状がそれぞれ異なるように形成してあることを特徴とする請求項１に記載の生体マッサージ用へら。
【考案の詳細な説明】
【技術分野】
【０００１】
本考案は顔や首筋などをマッサージする際に用いるへらに係り、特に使用材料および形状の改良によりマッサージ効果をこれまで以上に上げることができる生体マッサージ用へらに関する。
【背景技術】
【０００２】
「かっさ」と称するへらで顔面や首筋などをマッサージして皮膚の弛みや血行を改善する美容法が知られており、水牛の角や、ヒスイで作られた「かっさ」が実際に市販されている。
【０００３】
図３に前記した市販品の一例を示す。図３において、生体マッサージ用へら１０は、生体をマッサージするマッサージ部１１を備え、材料はヒスイや、黒水牛の角が主に使われている。ヒスイは古来、生命の再生をもたらすものといわれ、また黒水牛の角はタンパク質でできているので体温に馴染みやすく、ともに生体との相性が非常に良いとされている。
【考案の概要】
【考案が解決しようとする課題】
【０００４】
前記したように、ヒスイや、水牛の角などで作製された生体マッサージ用のへらが用いられているが、ヒスイは高価であり一般には普及し難い。また、水牛の角は輸出入に制限があり、入手が困難な場合が多い。さらに、双方とも生体への効果効能が明確ではない。
【０００５】
本考案は前記した従来の生体マッサージ用へらに伴う問題点を解決し、皮膚に良好な刺激を与えることができるとされているテラヘルツ波による波動効果と、へら本体に形成した凸部による機械的刺激との相乗作用によりこれまで以上に新陳代謝を高めることができる生体マッサージ用のへらを提供することを目的とするものである。
【課題を解決するための手段】
【０００６】
前記課題を解決するための本考案の構成を詳述すれば、請求項１に係る考案は、外周縁部に複数の凸部を形成した生体マッサージ用のへらであって、当該へら本体は金属シリコンを主体にして構成され、前記複数の凸部は所定の間隔で離間して突成され、各々手の指で保持するのに適した曲線形状を有すると共に、隣り合う凸部同士の間には緩やかな括れ部を形成してあり、前記複数の凸部および前記複数の括れ部を選択して手の指でへら本体を保持し、凸部先端を皮膚に当て移動させながらマッサージを行うことで、前記複数の凸部による機械的刺激とともに、金属シリコン由来のテラヘルツ波による波動刺激を皮膚に重畳的に与えるようになしたことを特徴とする生体マッサージ用へらである。
【０００７】
また、請求項２に係る考案は、４つの凸部と、４つの括れ部を有し、且つ４つの凸部の曲線形状および４つの括れ部の曲線形状がそれぞれ異なるように形成してあることを特徴とする請求項１に記載の生体マッサージ用へらである。
【考案の効果】
【０００８】
上記したように、本考案に係る生体マッサージ用へらによれば、曲線で形成された複数の凸部により皮膚が機械的且つ多様に刺激され、さらに金属シリコンを主体にして構成された生体マッサージ用のへら本体から発生するテラヘルツよる波動刺激が重畳的に加わるので、生体がより活性化しマッサージ効果がこれまで以上に向上するものである。
【図面の簡単な説明】
【０００９】
【図１】本考案に係る生体マッサージ用へらの一実施形態を示す平面図である。
【図２】図１に示す生体マッサージ用へらの正面図である。
【図３】従来の生体マッサージ用へらの平面図である。
【考案を実施するための形態】
【００１０】
以下、図１および図２に基づいて本考案に係る生体マッサージ用へらの実施形態につき詳細に説明する。
【００１１】
図１および図２は本考案に係る生体マッサージ用へらの構造を示すもので、図中１はへら本体を示す。当該へら本体１は金属シリコンを主体材料としており、外形を曲線状に形成された凸部２、凸部３、凸部４および凸部５を備え、全体は名刺ないしハガキ大の大きさであり、厚みは５ｍｍ以下である。
【００１２】
また、凸部２，３，４，５の各々の間には緩やかな曲線状の括れ部６，７，８，９を形成してある。
【００１３】
図１に示す実施形態では、４つの凸部２〜５および４つの括れ部６〜９を具備したへら本体１となっているが、これ以外にも３つの凸部および３つの括れ部、あるいは５つの凸部および５つの括れ部を形成したへら本体１となしてもよいのは勿論であり、凸部および括れ部の数の増減は本考案の効力範囲に影響を与えるものではない。
【００１４】
しかしながら、本考案者らによる各種試作、実験の結果では４つの凸部２〜５および４つの括れ部６〜９を形成したへら本体１が最も手指に馴染み易く、良好なマッサージ効果が得られることが判明した。
【００１５】
なお、へら本体１に形する複数の凸部２，３，４，５および複数の括れ部６，７，８，９はいずれも同じような曲線形状で構成することも勿論可能である。
【００１６】
しかしながら、へら本体１に形成する複数の凸部２，３，４，５の曲線形状をそれぞれ異なった曲線形状に形成するとともに、複数の括れ部６，７，８，９の曲線形状もそれぞれ異なるように形成するようにすると、使用者が自由に自己の手指に合った曲線形状を選択できるようになり、より好ましいマッサージ効果を得ることができる。
【００１７】
また、１つの任意の凸部と、隣り合う凸部との間隔は、手のひらで握りやすい程度の長さとなっており、使用者は凸部２、凸部３、凸部４、凸部５および括れ部６〜９のうちの最も相応しいものを選択して、例えば２〜３カ所のくびれ部を手のひらで握り、残った凸部のうちの一つを用いて生体の経絡に当て、生体マッサージを行うことができる。
【００１８】
金属シリコンを構成材料とした生体マッサージ用のへら本体１は次のようにして形成される。
まず、金属シリコンの材料である二酸化ケイ素を、カーボン電極を使用したアーク炉などを用いて融解還元し、純度９９％程度の金属シリコンを得る。
さらに必要に応じて、塩素と反応させ四塩化ケイ素とし、蒸留して純度９９．９％の高純度金属シリコンを得る場合があるが、生体マッサージ用へらとしては、純度９９％程度の金属シリコンで充分である。
【００１９】
金属シリコンは、汎用金属と同様に切削や切断、圧延、研磨などの機械加工が可能なので、従来の機械加工の手法で、本考案に係る生体マッサージ用へらを形成することができる。
【００２０】
次に、本考案に係る生体マッサージ用へら１の使い方であるが、使用者は生体マッサージ用のへら本体１のそれぞれに大きさおよび曲線を異にする凸部２〜凸部５および括れ部６〜９のうちの最も相応しいものを選択していくつかを指と掌で握り、余分な力を加えないようにして生体に当て、経絡に沿って動かしながらマッサージを行う。
【００２１】
凸部２〜凸部５のうちのいくつかの凸部によって生体に刺激が加えられるとともに、整体マッサージ用のへら本体１の成分である金属シリコンから発生するテラヘルツ波が皮膚に加えられる。
【００２２】
整体マッサージ用のへら本体１は、それぞれに曲線形状を異にする凸部２〜凸部５および括れ部６〜９を備えているので、使用者は最も相応しい部分を選択し、手の指と掌で保持し手が疲労することなく、生体の経絡に沿って容易にマッサージを行うことができる。
【００２３】
さらに、生体マッサージ用のへら本体１が発生するテラヘルツ波による刺激が皮膚に加わることとなり、前記凸部２〜凸部５による機械的刺激との重畳作用によって生体に対する新陳代謝促進が高まりマッサージ効果がこれまで以上に向上するものである。
特に、テラヘルツ波は細胞を正常化し、活性化する効果があると言われているので、血行促進、代謝アップ、デトックスなどに効果が高い生体マッサージ用へらを提供することができる。
【符号の説明】
【００２４】
１：整体マッサージ用のへら本体
２：凸部
３：凸部
４：凸部
５：凸部
６：括れ部
７：括れ部
８：括れ部
９：括れ部
【図１】
0003179192.tif 000003
【図２】
0003179192.tif 000004
【図３】
0003179192.tif 000005